(57)【特許請求の範囲】
【請求項１】
光線の入射側面および出射側面に、スクリーンの垂直方向を長手とする縦長レンチキュラーレンズが形成され、この入射レンズ面に水平入射角０°、−１１°および＋１１°でそれぞれ平行光線を入射し、出射側で水平視野角０°における各光線の出射強度を１として、水平視野角θH°における各光線の出射強度をそれぞれＩ0（θH），Ｉ-11（θH）およびＩ+11（θH）と表した場合、下記の式（１）、（２）および（３）
ｉ0（θH）＝Ｉ0（θH）／（Ｉ0（θH）＋Ｉ-11（θH）＋Ｉ+11（θH））   （１）
ｉ-11（θH）＝Ｉ-11（θH）／（Ｉ0（θH）＋Ｉ-11（θH）＋Ｉ+11（θH））  （２）
ｉ+11(θH)＝Ｉ+11(θH)／（Ｉ0（θH）＋Ｉ-11（θH）＋Ｉ+11(θH)）      （３）
において、｜θH｜≦４０°としたときに、０．３０≦｜ｉ0（θH）｜≦０．３６を満足し、かつ、｜ｉ-11（θH）−１／３｜＋｜ｉ+11（θH）−１／３｜≦０．３０を満足することを特徴とするレンチキュラーレンズシート。
【請求項２】
光線の入射側面および出射側面にスクリーンの垂直方向を長手方向とする縦長レンチキュラーレンズが形成され、この入射レンズ面に水平入射角０°、−１１°および＋１１°でそれぞれ同一強度の平行光線を入射し、出射側で水平視野角０°における各光線の出射強度をＰ0（θ0），Ｐ-11（θ0）およびＰ+11（θ0）と表した場合、Ｐ-11（θ0）／Ｐ0（θ0）≧０．９３、かつ、Ｐ+11（θ0）／Ｐ0（θ0）≧０．９３を満足する請求項１に記載のレンチキュラーレンズシート。
【請求項３】
レンチキュラーレンズのピッチを１ｍｍに相似変換し、下記の式（４）、
Ｙ(Ｘ)＝ＣＸ2／［１＋｛１−（Ｋ＋１）Ｃ2Ｘ2｝1/2]          （４）
により、その入射側レンズの水平断面主形状および出射側レンズの水平断面主形状を表した際に、入射側レンズの曲率半径の逆数Ｃが２．４よりも小さく、かつ、出射側レンズの円錐定数Ｋが０以上であり、かつ、レンズの厚さをｔ、ピッチをｐでそれぞれ表したとき、ｔ／ｐが１．２５よりも大きいことを特徴とする請求項１に記載のレンチキュラーレンズシート。
【発明の詳細な説明】
【０００１】
【発明の属する技術分野】
本発明は、背面投写型テレビジョン等に使用されるスクリーンのうち、レンチキュラーレンズシートに関するものである。
【０００２】
【従来の技術】
従来、背面投写型テレビジョン等にフレネルレンズとレンチキュラーレンズとからなるスクリーンが用いられている。最近、背面投写型テレビジョンが一般家庭にも普及し、これに伴いテレビジョンの奥行きを短くすることが要求されている。図１２は従来の背面投写型テレビジョンの断面、図１３は最近の背面投写型テレビジョンの断面をそれぞれ上方から見たものである。図に示すように、テレビジョンの奥行Ｌ（Ｌ1 またはＬ2 ）が短くなるにつれ、赤色のＣＲＴと緑色のＣＲＴとのなす角度、または青色のＣＲＴと緑色のＣＲＴとのなす角度、いわゆる集中角θ（θ1 またはθ2 ）が大きくなっていくことがわかる。最近の背面投写型テレビジョンでは、この集中角は約１０°〜１２°と大きくなっている。
【０００３】
レンチキュラーレンズの光学性能を評価する方法としてカラーシフトがある。従来、入射側レンズ面にａ°および−ａ°で光線を入射し、出射側で水平視野角０°における各光線の出射強度Ｉ-a（θ0 ）およびＩ+a（θ0 ）を１として水平視野角θH °における各光線の出射強度をそれぞれＩ-a（θH ）およびＩ+a（θH ）と表した場合、カラーシフトと呼ばれる、下記式、
Ｃ（θH ）＝｜２０×ｌｏｇ（Ｉ-a（θH ）／Ｉ+a（θH ））｜
で与えられる値がなるべく小さくなるように、レンチキュラーレンズの形状が決められていた。
【０００４】
【発明が解決しようとする課題】
従来のレンチキュラーレンズには、解決すべき課題が２点あった。課題の第１点は、スクリーン水平方向へ視野角を変えた際の色の変化である。例えば、従来のレンチキュラーレンズの入射レンズ面に−９°および＋９°で光線を入射し（従来のテレビジョンセットにおける集中角の一般例である。）、水平方向に視野角を変えた際のカラーシフトを測定した結果を図１４に示し、同様に−１１°および＋１１°で光線を入射し（最近のテレビジョンセットにおける集中角の一般例である。）、水平方向に視野角を変えた際のカラーシフトを測定した結果を図１５に示す。図１４と図１５とを比較することにより明らかなように、最近の背面投写型テレビジョンのように集中角が大きくなるにつれカラーシフトが大きくなっていた。
【０００５】
現在までに種々の設計・検討がなされ、入射角が±１１°でもＣ（θH ）がほぼ３ｄＢ以下となるようなレンチキュラーレンズが得られているが、３管式背面投写型プロジェクションテレビジョン（集中角が１１°のテレビジョンであり、赤色光が−１１°、緑色光が０°、青色光＋１１°でレンチキュラーレンズの入射面に光線が入射する。）に取り付け、水平視野角を変えていくと、Ｃ（θH ）の値が小さいにもかかわらず、観察される色の変化は大きく感じられることがあった。
【０００６】
課題の第２点は、スクリーン上の水平幅方向の色の均一性の悪さである。全白信号を入力し、テレビジョンセットの正面でスクリーンから約３ｍ離れて、スクリーンの中央およびスクリーンの中心から水平方向端部に向かっての色を観察すると、従来のレンチキュラーレンズでは、スクリーン中央は白色であっても、スクリーンの水平方向端に向かって色の変化が生じ、色の均一性（いわゆるユニフォーミティ）が悪かった。
【０００７】
本発明は、以上のような従来技術の課題を解決しようとするもので、水平視野角の変化に伴う色変化が少なく、また、ユニフォーミティの改善されたレンチキュラーレンズを提供することを目的とする。
【０００８】
【課題を解決するための手段】
上記の課題を解決する本発明のレンチキュラーレンズシートは、光線の入射側面および出射側面に、スクリーンの垂直方向を長手とする縦長レンチキュラーレンズが形成され、この入射レンズ面に水平入射角０°、−１１°および＋１１°でそれぞれ平行光線を入射し、出射側で水平視野角０°における各光線の出射強度を１として、水平視野角θH°における各光線の出射強度をそれぞれＩ0（θH），Ｉ-11（θH）およびＩ+11（θH）と表した場合、下記の式（１）、（２）および（３）
ｉ0（θH）＝Ｉ0（θH）／（Ｉ0（θH）＋Ｉ-11（θH）＋Ｉ+11（θH））    （１）
ｉ-11（θH）＝Ｉ-11（θH）／（Ｉ0（θH）＋Ｉ-11（θH）＋Ｉ+11（θH））  （２）
ｉ+11(θH)＝Ｉ+11(θH)／（Ｉ0（θH）＋Ｉ-11（θH）＋Ｉ+11(θH)）      （３）
において、｜θH｜≦４０°としたときに、０．３０≦｜ｉ0（θH）｜≦０．３６を満足し、かつ、｜ｉ-11（θH）−１／３｜＋｜ｉ+11（θH）−１／３｜≦０．３０を満足することを特徴とする。
【０００９】
上記の課題を解決する本発明のレンチキュラーレンズシートは、光線の入射側面および出射側面にスクリーンの垂直方向を長手方向とする縦長レンチキュラーレンズが形成され、この入射レンズ面に水平入射角０°、−１１°および＋１１°でそれぞれ同一強度の平行光線を入射し、出射側で水平視野角０°における各光線の出射強度をＰ0（θ0），Ｐ-11（θ0）およびＰ+11（θ0）と表した場合、Ｐ-11（θ0）／Ｐ0（θ0）≧０．９３、かつ、Ｐ+11（θ0）／Ｐ0（θ0）≧０．９３を満足することが好ましい。
【００１０】
上記の本発明のレンチキュラーレンズは、レンチキュラーレンズのピッチを１ｍｍに相似変換し、下記の式（４）、
Ｙ(Ｘ)＝ＣＸ2／［１＋｛１−（Ｋ＋１）Ｃ2Ｘ2｝1/2]          （４）
により、その入射側レンズの水平断面主形状および出射側レンズの水平断面主形状を表した際に、通常、入射側レンズの曲率半径の逆数Ｃが２．４よりも小さく、かつ、出射側レンズの円錐定数Ｋが０以上であり、かつ、レンズの厚さをｔ、ピッチをｐでそれぞれ表したとき、ｔ／ｐが１．２５よりも大きいものが好ましい。
【００１１】
【発明の実施の形態】
まず、課題の第１点目の水平視野角の変化に伴う色変化が少ないスクリーンを得る手段について述べる。上記目的を達成させるためには、レンチキュラーレンズの光学性能を評価する方法として、入射レンズ面に−１１°および＋１１°で入射する光線の出射強度のみではなく、入射レンズ面に０°に入射する光線の出射強度についても評価用のパラメーターとして用い、これらの数値がある関係を満たすことが有効であることが見出された。
【００１２】
図１は、背面投写型テレビジョンに用いられる背面投写型スクリーンの斜視図であり、光源に近い側からフレネルレンズ１、レンチキュラーレンズ２が配置されている。図２は、前記レンチキュラーレンズの水平方向断面図であり、光源に近い側に入射側レンズ３、観察者側に出射側レンズ４および観察側から入ってくる不要光を吸収する光吸収帯５が設けられ、この形状が水平方向にくり返し成形されている。図３は、レンチキュラーレンズに−１１°、０°および＋１１°の光線を入射したときの各光線の通過経路を示す光線追跡図であり、一点鎖線が−１１°、実線が０°、破線が＋１１°の光線である。
【００１３】
この発明を説明する際に、レンチキュラーレンズの入射面へ入射する光線の角度を±１１°として説明を行うことが多いが、この±１１°という値は最近の背面投写型テレビジョンの集中角の一般値（約±１０°〜±１２°）の一部を占める値であり、本発明が入射角±１１°の場合にのみ限定されるものではない。例えば、この角度が±１０°でも±１２°でも、前述のｉ0 （θH ）や、｜ｉ-11（θH ）−１／３｜＋｜ｉ+11 （θH ）−１／３｜，Ｐ-11 （θ0 ）／Ｐ0 （θ0 ），Ｐ+11 （θ0 ）／Ｐ0 （θ0 ）の値は本発明の範囲にある。
【００１４】
図３では、入射側レンズに入射した光線の数は各３本ずつであり、計９本の光線を図示してあるが、コンピューターを使用し、入射側レンズの形状、出射側レンズの形状、入射側レンズと出射側レンズの距離等を入力して、計算を行い各光線の出射角度、出射強度の分布を求めることができる。
【００１５】
図４および図５は、従来のレンチキュラーレンズに−１１°、０°、＋１１°の光線を入力し、計算した結果を示したグラフである。図４は、各光線の出射角度に対する出射強度を示すグラフであり、各光線について０°で出射する光の強度を１として正規化して表示したものである。また、図５は、各出射角度における−１１°入射光および＋１１°入射光の出射強度比をデシベル単位で表示したグラフである。この数値が従来はカラーシフト値として、レンチキュラーレンズの設計・評価に用いられており、この絶対値が小さいほど水平方向の色変化の少ない好ましいものとされてきた。
【００１６】
しかしながら、このようなカラーシフト値が小さいスクリーンを実際の背面投写型テレビジョンに装着し、水平方向に観察角度を変えていくと、スクリーン正面０°を中心に、左右に観察角を変えるに従って赤から赤紫または青から青紫へと色の変化を生じ、好ましいものではなかった。
【００１７】
図６は、各出射角において−１１°、０°および＋１１°で入射した光の相対強度比を示すグラフである。図６において、＋３０°〜＋５０°の範囲の各単色の強度比を比較すると、０°入射光の相対強度が１／３よりも低下していることがわかる。この結果を実際の背面投写型テレビジョンで観察されたスクリーンの色変化と対応させると、次のことが明らかになる。すなわち、従来の設計・評価法に基づいて設計されたカラーシフト値の絶対値が小さいスクリーンでも、０°入射光の相対強度が低下している場合、他の２つの入射光の相対強度が強まり、実際の背面投写型テレビジョンでは水平方向に視野角を変化させると、赤から赤紫または青から青紫という大きな色変化を生じるのである。
【００１８】
この色変化の差は、次のように物理的に説明できる。従来法の評価指標であるカラーシフト値は、−１１°および＋１１°の光線の強度についてのみ注目しており、実際の背面投写型テレビジョンでは、赤色ＣＲＴからレンチキュラーレンズに入射した光線の出射強度と、青色ＣＲＴからレンチキュラーレンズに入射した光線の出射強度との比のみに着目しているものである。
【００１９】
図７は、ＸＹＺ表色系における色度図である。図中の点Ｒ、点Ｇ、点Ｂ、点Ｗは、それぞれ背面投写型テレビジョンにスクリーンを取付け、全赤信号、全緑信号、全青信号および全白信号を入力し、スクリーン中心の法線方向でスクリーンの色座標（ｘ，ｙ）を測定し、プロットしたものである。この図からわかるように、従来法によるカラーシフト値は図中破線上の点Ｐが、点Ｒと点Ｂの中心になるように、一次元的に評価をしているだけであった。
【００２０】
本発明では、緑光の出射強度比をパラメーターとして採用しており、この強度範囲を規定しているもので、例えば点Ｑのように緑の強度も含めて評価が可能であり、これまで評価できていない色変化、例えば赤と緑の強度が強くなることにより発生する黄色（点Ｓ）や、青と緑の強度が強くなることにより発生するシアン色（点Ｔ）についても、評価してレンズを設計することが可能となったのである。
【００２１】
本発明は、新たにこの０°入射光線の出射強度比（ｉ0 （θH ））を水平視野角±４０°の範囲で０．３０≦｜ｉ0 （θH ）｜≦０．３６とすることにより、視野角の変化に伴う色変化が少ないスクリーンを得ることができるというものである。ここで、｜ｉ0 （θH ）｜が０．３０よりも小さく、例えば０．２８であれば、このようなスクリーンをテレビジョンセット（集中角±１１°）に装着して水平方向に視野角を変えたときのスクリーン中心の色変化を観察すると、赤、赤紫、白、青紫、青の順番に色が激しく変化する。また、｜ｉ0 （θH ）｜が０．３６よりも大きく、例えば０．４０であれば、同様にスクリーン中心の色変化を観察すると、黄、淡赤、白、淡青、シアンの順番に色が激しく変化する。なお、水平視野角±４０°の範囲を問題とするのは、一般的な適視範囲内においてという意味である。
【００２２】
課題の第２点目として、ユニフォーミティ改善の手段について述べる。図８は、レンチキュラーレンズ入射面に、入射角−１１°、０°および＋１１°の同一強度の平行光線をそれぞれ入射し、各光線の出射角度に対する出射強度を示すグラフである。ここで、一般的な背面投写型テレビジョンの視聴条件を想定し、図９に示すように、５０″の背面投写型テレビジョンから３ｍ離れてスクリーン中央およびスクリーン中心から水平方向９０％位置（ｌ＝±４５０ｍｍ位置）の色を観察するものとすると、これらの位置を観察する角度は０°および±８．５°となる。すなわち、３ｍの位置からスクリーンを観察した際にスクリーン上の各ポイントにおける色変化が少ない（すなわち、ユニフォーミティの良い）スクリーンを得るためには、０°および±８．５°の各単色の強度比がなるべく同じ値であることが必要である。
【００２３】
さらにくわしく、例をあげて説明する。図１０は、従来のレンチキュラーレンズに０°および±１１°の入射強度の等しい平行光を入射した際の各光線の出射強度を示した図である。なお、このレンチキュラーレンズのＰ-11 （θ0 ）／Ｐ0 （θ0 ）は０．９０である。ここで、先に述べた３ｍの位置から５０″のテレビジョンの中央およびスクリーン中心から９０％位置（ｌ＝±４５０ｍｍ位置）を観察した際の観察角に相当する０°および±８．５°に出射する各光線の強度を表１にまとめた。また、図１１は、Ｐ-11 （θ0 ）／Ｐ0 （θ0 ）が０．９３以上となるように設計したレンチキュラーレンズに、上記従来のレンチキュラーレンズと同様の検討を行った結果を示す図であり、また、０°および±８．５°で出射する各光線の強度を表１にまとめた。
【００２４】
【表１】
0003665140.tif 000002
【００２５】
表１中の（  ）内に、各水平視野角における０°入射光の出射強度を１とした場合の−１１°入射光および＋１１°入射光の出射強度比を示した。表１からわかるように、従来のレンチキュラーレンズでは水平視野角０°におけるＰ-11 （θH ）／Ｐ0 （θH ）またはＰ+11 （θH ）／Ｐ0 （θH ）の比率と、水平視野角−８．５°および＋８．５°におけるＰ-11 （θH ）／Ｐ0 （θH ）またはＰ+11 （θH ）／Ｐ0 （θH ）の比率との変化が大きい。これに対し、Ｐ-11 （θH ）／Ｐ0 （θH ）およびＰ+11 （θH ）／Ｐ0 （θH ）が０．９３以上となるように設計した本発明のレンチキュラーレンズによれば、水平視野角０°、−８．５°および＋８．５°におけるＰ-11 （θH ）／Ｐ0 （θH ）またはＰ+11 （θH ）／Ｐ0 （θH ）の比率の変化が小さい。実際の背面投写型テレビジョンでは、０°入射光が緑のＣＲＴ、−１１°入射光が赤のＣＲＴ、＋１１°の入射光が青のＣＲＴからのレンチキュラーレンズへの入射光に相当し、これらの光線の出射強度比が表１（  ）に示すような強度比を持つことになる。すなわち、従来のレンチキュラーレンズによれば、スクリーン中央に対してスクリーン水平方向に−４５０ｍｍの位置では赤色に変化し、＋４５０ｍｍの位置では青色に変化してユニフォーミティが低下する。一方、Ｐ-11 （θH ）／Ｐ0 （θH ）およびＰ+11 （θH ）／Ｐ0 （θH ）が０．９３以上となるように設計した本発明のレンチキュラーレンズによれば、高いユニフォーミティを有するレンチキュラーレンズが得られる。
【００２６】
次に、表１に示した各レンチキュラーレンズを背面投写型テレビジョンにセットし、スクリーン中央に対してスクリーン水平方向に−４５０ｍｍの位置、スクリーン中心およびスクリーン中央に対してスクリーン水平方向に＋４５０ｍｍの位置における色座標を測定した結果を図７に示した。点ａ，点ｂおよび点ｃは従来のレンチキュラーレンズについて上記の３つの位置における色座標を測定したデータであり、ｄ，ｅおよびｆはＰ-11 （θH ）／Ｐ0 （θH ）およびＰ+11 （θH ）／Ｐ0 （θH ）が０．９３以上となるように設計したレンチキュラーレンズについて上記の３つの位置における色座標を測定したデータである。従来のレンチキュラーレンズでは、色座標データａ，ｂおよびｃを破線で結んで示したように上記の３つの位置の間の色変化量は（ｌ1 ＋ｌ2 ）であった。Ｐ-11 （θH）／Ｐ0 （θH ）およびＰ+11 （θH ）／Ｐ0 （θH ）が０．９３以上となるように設計したレンチキュラーレンズでは、色座標データ点ｄ，点ｅおよび点ｆを実線で結んで示したように上記の３つの位置の間の色変化量は（ｌ3 ＋ｌ4 ）と小さくなっており、ユニフォーミティが高いことがわかる。
【００２７】
本発明は、この点に注目し、レンチキュラーレンズの入射面に、入射角−１１°、０°および＋１１°の同一強度の平行光線をそれぞれ入射し、出射側視野角０°における各光線の出射強度をＰ-11 （θ0 ）、Ｐ0 （θ0 ）、Ｐ+11 （θ0）とした場合にＰ-11 （θ0 ）／Ｐ0 （θ0 ）≧０．９３かつＰ+11 （θ0 ）／Ｐ0 （θ0 ）≧０．９３を満たすレンチキュラーレンズでは、ユニフォーミティの良いスクリーンが得られることを見出したものである。
【００２８】
【実施例】
以下、この発明を実施例に基づいて詳細に説明する。
実施例１
ｉ0 （θH ）がなるべく１／３に近く、また、θH が変わっても一定の値となるように、入射側レンズ形状の曲率半径の逆数Ｃおよび円錐定数Ｋ、出射側レンズの曲率半径の逆数Ｃおよび円錐定数Ｋならびに入射側レンズと出射側レンズとの間の距離を変えて、コンピューターによるシミュレーションを行った。
【００２９】
入射側レンズおよび出射側レンズのレンズ形状は、レンチキュラーレンズのレンズ単位の幅方向をＸ軸とし、レンズ単位の厚さ方向をＹ軸としたとき、次式で与えられる。
Ｙ(X) ＝ＣＸ2 ／［１＋｛１−（Ｋ＋１）Ｃ2 Ｘ2 ｝1/2 ]
設計したレンズ形状を表２に記載した。なお、入射側レンチキュラーレンズのピッチは１ｍｍに固定している。
【００３０】
この入射側レンズ形状の逆型を用いて押出法により、設計通りのレンズ形状およびレンズ間距離を有するレンチキュラーレンズを成形した。このレンチキュラーレンズの入射側レンズ面に−１１°、０°および＋１１°の平行光を入射し、その光学性能を測定した。測定結果を表２に記載した。
【００３１】
【表２】
0003665140.tif 000003
【００３２】
このレンチキュラーレンズを集中角１１°の背面投写型テレビジョンに実装し、水平視野角を変えていくと、赤から青へ色変化したが、色相の変化は単調で、目視上感じられる色変化は少なかった。また、スクリーン正面から３ｍの位置より観察したところ、スクリーン中心からスクリーン水平端まで色変化が少なく、ユニフォーミティが良好であった。
【００３３】
実施例２
実施例１と同様にシミュレーションを行いレンズ形状の設計を行った。設計したレンズ形状を表２に記載した。実施例１と同様にレンチキュラーレンズを成形し、その光学性能を測定して結果を表２に記載した。
【００３４】
このレンチキュラーレンズを集中角１１°の背面投写型テレビジョンに実装し、水平視野角を変えていくと、赤から青へ色変化したが、色相の変化は単調で目視上感じられる色変化は少なかった。
【００３５】
比較例１〜２
ｉ-11 （θ0 ）、ｉ+11 （θ0 ）の強度比のみに着目する従来法を用いて設計されたレンチキュラーレンズを表２に記載した。実施例１と同様にレンチキュラーレンズを成形し、その光学特性を測定して結果を表２に記載した。
【００３６】
このレンチキュラーレンズを集中角１１°の背面投写型テレビジョンに実装し、水平視野角を変えてゆくと、赤から赤紫および青から青紫と色相が変化し、目視上感じられる色変化は大きかった。また、スクリーン正面から３ｍの位置より観察したところ、スクリーン中心からスクリーン水平端に向かうに従い、赤または青色にスクリーンが着色し、ユニフォーミティが悪かった。
【００３７】
実施例と比較例の形状を比較すると、実施例のものでは、
▲１▼  入射側レンズのＣが２．４よりも小さい。
▲２▼  出射側レンズのＫが０以上である。
▲３▼  レンズの厚さ／ピッチが１．２５よりも大きい。
という、特徴的な差が認められた。これらの数値がこの範囲をはずれると、例えば入射側レンズのＣが２．４以上となったり、ｔ／ｐが１．２５以下になると、０．３０＜｜ｉ0 （θH ）｜となりやすく、出射側レンズＫが０より小さいと、Ｐ-11 （θ0 ）／Ｐ0 （θ0 ）が０．９３より小さくなりやすい。
【００３８】
【発明の効果】
本発明によれば、レンチキュラーレンズに入射した各光線の出射強度比を、入射角０°の光線の出射強度比も含めて所定条件を満たすようにすることにより、水平視野角の変化に伴う色変化を少なくできる。また、−１１°および＋１１°で入射する光線の０°方向への出射強度が０°で入射する光線の０°方向への出射強度に対し所定条件を満たすようにすることにより、ユニフォーミティを改善することができる。
【図面の簡単な説明】
【図１】背面投写型スクリーンの斜視図である。
【図２】レンチキュラーレンズの水平方向断面図である。
【図３】レンチキュラーレンズの光線追跡図である。
【図４】従来のレンチキュラーレンズの出射強度を正規化して示す図である。
【図５】従来のレンチキュラーレンズの出射強度を示す図（デシベル単位）である。
【図６】従来のレンチキュラーレンズにおける相対強度比を示す図である。
【図７】ＸＹＺ表色系における色度図である。
【図８】レンチキュラーレンズの出射強度を示す図である。
【図９】スクリーンの観察条件を示す図である。
【図１０】従来のレンチキュラーレンズの出射強度を示す図である。
【図１１】本発明によるレンチキュラーレンズにおける出射強度を示す図である。
【図１２】従来の背面投写型テレビジョンの断面図である。
【図１３】最近の背面投写型テレビジョンの断面図である。
【図１４】カラーシフトを測定した結果（±９°）を示す図である。
【図１５】カラーシフトを測定した結果（±１１°）を示す図である。
【符号の説明】
１  …  フレネルレンズ
２  …  レンチキュラーレンズ
３  …  入射側レンズ
４  …  出射側レンズ
５  …  光吸収帯
θ1 …  集中角
【図１】
0003665140.tif 000004
【図２】
0003665140.tif 000005
【図３】
0003665140.tif 000006
【図４】
0003665140.tif 000007
【図５】
0003665140.tif 000008
【図６】
0003665140.tif 000009
【図７】
0003665140.tif 000010
【図８】
0003665140.tif 000011
【図９】
0003665140.tif 000012
【図１０】
0003665140.tif 000013
【図１１】
0003665140.tif 000014
【図１２】
0003665140.tif 000015
【図１３】
0003665140.tif 000016
【図１４】
0003665140.tif 000017
【図１５】
0003665140.tif 000018